(57)【要約】【課題】熟練した着付け人を必要としなくても、気軽に着物を着て貝の口結び帯を楽しむことが可能な貝の口結び帯の提供。【解決手段】帯本体と、貝の口結びを形成する貝の口結び部と、結び紐とから構成される着物用の帯であって、帯本体には、帯本体を着物に巻いて留めるための帯留め部が設けられ、さらに貝の口結びを形成する貝の口結び部が連結されており、貝の口結び部により貝の口結びを形成し、次いで帯留め部を用いて帯本体を着物に巻いて留め、次いで結び紐を、貝の口結びを背中側で結び、次いで身体の左右それぞれに廻して腹部側で結ぶように構成する。【選択図】  図１
2005023491.tif 000002
【特許請求の範囲】
【請求項１】
帯本体と、貝の口結びを形成する貝の口結び部と、結び紐とから構成される着物用の帯であって、
帯本体には、帯本体を着物に巻いて留めるための帯留め部が設けられ、さらに貝の口結びを形成する貝の口結び部が連結されており、
貝の口結び部により貝の口結びを形成し、次いで帯留め部を用いて帯本体を着物に巻いて留め、次いで結び紐を、貝の口結びを背中側で結び、次いで身体の左右それぞれに廻して腹部側で結ぶように構成されたことを特徴とする貝の口結び帯。
【請求項２】
請求項１に記載の発明において、
前記の結び紐は、帯本体の両端にそれぞれ連結されて設けられたことを特徴とする貝の口結び帯。
【請求項３】
請求項２に記載の発明において、
前記の結び紐は、帯本体の両端にそれぞれ複数の結び紐が連結されて設けられたことを特徴とする貝の口結び帯。
【請求項４】
請求項１に記載の発明において、
前記の貝の口結び部は、貝の口結びを形成するたれ部と、前記の結び紐が帯本体に連結される結び紐連結部とから構成されたことを特徴とする貝の口結び帯。
【請求項５】
請求項４に記載の発明において、
前記のたれ部は、全長の長い長たれ部と、全長の短い短たれ部とから構成されたことを特徴とする貝の口結び帯。
【請求項６】
請求項１〜５のいずれかに記載の発明において、
前記の帯本体には、帯本体を着物に巻く際に帯のずれを防ぎつつ巻くためのループ部材が設けられたことを特徴とする貝の口結び帯。
【請求項７】
請求項１〜６のいずれかに記載の発明において、
前記の帯留め部は、ファスナー、面ファスナー、スナップ、ボタン、ホックのいずれかの着脱部材を用いて着脱可能にされたことを特徴とする貝の口結び帯。
【発明の詳細な説明】
【０００１】
【発明の属する技術分野】
本発明は、貝の口結び帯に関する。
【０００２】
【従来の技術】
従来、着物の帯を締める際には、その結び方が複雑であるため着用者が自分で帯締めを行うことは難しく、熟練した着付け人が必要であった。
そのため、気軽に着物を着て好みの結び方を楽しむことは難しく、さらに結んだ後にも着崩れがしないように気を使う必要があった。
【０００３】
【発明が解決しようとする課題】
そこで、簡単に帯を結んだり固定したりするための帯が考案されている。
特開平１０−１８１１６「帯結びベルト」においては、着物の脇にしわにならず、帯をしっかり固定でき、帯結びを奇麗に保ちくずれないようにする帯結びベルトが提案されている。
帯結びベルトは、着物の上に当てるベルトの両端部に平面ファスナーを設けて任意の位置に着脱可能にし、さらにベルトに補正ポケットを設け、この補正ポケットに補整物を入れるように構成している。
しかしながら、この発明は、平面ファスナーで帯締めを固定することに主眼が置かれており、貝の口結びなど結び方を美しく見せることにはさしたる改良がなく、しかもこうした結び方を簡易に行うことには特に対応していない。
【０００４】
また、特開平９−３０２５１２「着物用帯装置」においては、補助者を要することなく、帯の着用者自身で帯締めを至極簡易に行え、帯の垂れ部や手先部等を結ぶことなく、単に折り込みながら自分の好みの帯飾りを短時間で素早く形成でき、形崩れもなく長時間にわたり帯飾りを保持でき、帯締めに要する経費も節約できる着物用帯装置が提案されている。
この発明においては飾り羽を装着し、面ファスナーなどで固定するものであるが、図面を参照すれば明らかなように、固定方法が複雑であるばかりでなく、飾り羽は装着するものであって、帯が結ばれるというものではない。
【０００５】
また、実公平１−２４１１１「着物用結び帯」においては、振袖等に着用するふくら雀結び帯において、一人で着用でき、美しい帯飾りであってかつ着崩れることがない結び帯が提案されている。
この考案においても、はねをおたいこ部に装着して固定し、また薄板で補強をするなど、固定方法が複雑であるばかりでなく、飾り羽は装着するものであって、帯が結ばれるというものではない。
【０００６】
そこで本発明においては、上記の様々な課題を解決し、熟練した着付け人を必要としなくても、気軽に着物を着て貝の口結び帯を楽しむことができるとともに、さらに結んだ後にも着崩れがしにくく、また見た目には帯を自然に結んだように見える貝の口結び帯を提供することを目的とする。
【０００７】
【課題を解決するための手段】
上記課題を解決するため、請求項１に記載の発明においては、
帯本体と、貝の口結びを形成する貝の口結び部と、結び紐とから構成される着物用の帯であって、
帯本体には、帯本体を着物に巻いて留めるための帯留め部が設けられ、さらに貝の口結びを形成する貝の口結び部が連結されており、
貝の口結び部により貝の口結びを形成し、次いで帯留め部を用いて帯本体を着物に巻いて留め、次いで結び紐を、貝の口結びを背中側で結び、次いで身体の左右それぞれに廻して腹部側で結ぶように構成された貝の口結び帯であることを特徴としている。
【０００８】
また、上記課題を解決するため、請求項２に記載の発明においては、
請求項１に記載の発明において、
前記の結び紐は、帯本体の両端にそれぞれ連結されて設けられた貝の口結び帯であることを特徴としている。
【０００９】
また、上記課題を解決するため、請求項３に記載の発明においては、
請求項２に記載の発明において、
前記の結び紐は、帯本体の両端にそれぞれ複数の結び紐が連結されて設けられた貝の口結び帯であることを特徴としている。
【００１０】
また、上記課題を解決するため、請求項４に記載の発明においては、
請求項１に記載の発明において、
前記の貝の口結び部は、貝の口結びを形成するたれ部と、前記の結び紐が帯本体に連結される結び紐連結部とから構成された貝の口結び帯であることを特徴としている。
【００１１】
また、上記課題を解決するため、請求項５に記載の発明においては、
請求項４に記載の発明において、
前記のたれ部は、全長の長い長たれ部と、全長の短い短たれ部とから構成された貝の口結び帯であることを特徴としている。
【００１２】
また、上記課題を解決するため、請求項６に記載の発明においては、
請求項１〜５のいずれかに記載の発明において、
前記の帯本体には、帯本体を着物に巻く際に帯のずれを防ぎつつ巻くためのループ部材が設けられた貝の口結び帯であることを特徴としている。
【００１３】
また、上記課題を解決するため、請求項７に記載の発明においては、
請求項１〜６のいずれかに記載の発明において、
前記の帯留め部は、ファスナー、面ファスナー、スナップ、ボタン、ホックのいずれかの着脱部材を用いて着脱可能にされた貝の口結び帯であることを特徴としている。
【００１４】
【発明の実施の形態】
以下、本発明の実施の形態について図面を参照して説明する。
本発明は、帯本体と、貝の口結びを形成する貝の口結び部と、結び紐とから構成される着物用の帯である。
【００１５】
（第一の実施形態）
初めに、本発明の貝の口結び帯の第一の実施形態について説明する。
図１から図４は、本発明の貝の口結び帯の第一の実施形態の基本的な構成および着用手順を示す図である。
各図において、符号１は帯本体、２は帯本体を巻いた状態に固定する帯留め部、３は貝の口結び部を、４は結び紐を示している。
【００１６】
初めに、本発明の貝の口結び帯は帯本体１を備えているが、帯本体１は、通常知られている帯と同様の素材からなることが通例であり、またそのデザインや形状（幅等）は帯として使用できるならば様々に構成することができる。
【００１７】
帯本体１には、帯本体１を着物に巻いて留めるための帯留め部２が設けられている。帯留め部２は、着物を着用するために体に巻いた帯をその状態で固定するために、帯本体１の端近辺同士を固着するためのものである。
図においては、帯留め部２は、帯本体１の端近辺の内側に設けられた帯留め部２ａと、帯本体１の端近辺の外側に設けられた帯留め部２ｂとの一対の帯留め部２から構成されている。具体的に帯留め部２としては、面ファスナーが図では示されている。この他にも、帯留め部２は、ホック、ボタン、結び紐、その他の様々な着脱部材を利用することができる。また帯留め部２は、１か所で留める形態のほかにも、複数箇所で留める形態を採用してもよい。
【００１８】
次に、帯本体１には、貝の口結びを形成する貝の口結び部３が連結されている。
貝の口結び部３により貝の口結びを形成し、次いで帯留め部２を用いて帯本体を着物に巻いて留め、次いで結び紐４を、貝の口結びを背中側で結び、次いで身体の左右それぞれに廻して腹部側で結ぶように構成されている。
【００１９】
次に、図１から図４を参照して、本発明の貝の口結び帯の第一の実施形態の着用手順について説明する。
初めに、図１を参照すると、帯のての部分を右前からぐるっと巻いていく。
結び紐４は、帯本体１の両端にそれぞれ連結されて設けられており、結び紐４の本数などは特に限定されないが、帯本体１の両端にそれぞれ複数の結び紐が連結されて設けることができ、図では両端に２本ずつ設けられた例が示されている。
【００２０】
次に図２を参照すると、貝の口結びが背中心の位置にくるよう、締め具合を調節しながら、帯留め部２（面ファスナー）を貼り合わせる。
この際に、図示しないが、後述する第二の実施形態において示す図９のように、帯本体１には、帯本体１を着物に巻く際に帯のずれを防ぎつつ巻くためのループ部材５を設けて、これに帯本体１を通してから固定することもできる。
貝の口の折り目端（結び目、右手上部）の帯留め部２（面ファスナー）の部分を帯の内側に折り曲げ固定する。
【００２１】
次いで図３を参照すると、てと結び目の端に付いた結び紐を、上下それぞれ前にもってきて結び、帯の中に見えないようにしまう。
図４に示すように、面ファスナーなどの帯留め部２と結び紐４だけでワンタッチで固定することができる、貝の口結びが完成する。
【００２２】
（第二の実施形態）
次に、本発明の貝の口結び帯の第二の実施形態について説明する。
図５から図１２は、本発明の貝の口結び帯の第二の実施形態の基本的な構成および着用手順を示す図である。
各図において、符号１は帯本体、２は帯本体を巻いた状態に固定する帯留め部、３は貝の口結び部を、４は結び紐を、５はループ部材を示している。
【００２３】
初めに、第一の実施形態と同様に、本発明の貝の口結び帯は帯本体１を備えているが、帯本体１は、通常知られている帯と同様の素材からなることが通例であり、またそのデザインや形状（幅等）は帯として使用できるならば様々に構成することができる。
【００２４】
帯本体１には、帯本体１を着物に巻いて留めるための帯留め部２が設けられている。帯留め部２は、着物を着用するために体に巻いた帯をその状態で固定するために、帯本体１の端近辺同士を固着するためのものである。
図においては、帯留め部２は、帯本体１の端近辺の内側に設けられた帯留め部２ａと、帯本体１の端近辺の外側に設けられた帯留め部２ｂとの一対の帯留め部２から構成されている。具体的に帯留め部２としては、面ファスナーが図では示されている。この他にも、帯留め部２は、ホック、ボタン、結び紐、その他の様々な着脱部材を利用することができる。また帯留め部２は、１か所で留める形態のほかにも、複数箇所で留める形態を採用してもよい。
【００２５】
次に、帯本体１には、貝の口結びを形成する貝の口結び部３が連結されている。
貝の口結び部３により貝の口結びを形成し、次いで帯留め部２を用いて帯本体を着物に巻いて留め、次いで結び紐４を、貝の口結びを背中側で結び、次いで身体の左右それぞれに廻して腹部側で結ぶように構成されている。
【００２６】
第二の実施形態においては、図５以下に示されるように、貝の口結び部３は、貝の口結びを形成するたれ部と、前記の結び紐４が帯本体１に連結される結び紐連結部とから構成されている。
たれ部は、全長の長い長たれ部３１と、全長の短い短たれ部３０とから構成されていることが、貝の口結びを形成するためには望ましい。
【００２７】
次に、図５から図１２を参照して、本発明の貝の口結び帯の第一の実施形態の着用手順について説明する。
初めに図５を参照すると、たれの短い方（短たれ部３０）を上にして、帯ひと幅分、左に折る。
次いで図６に示すように、たれ上部（短たれ部３０）を下に折る。
次に図７に示すように、たれ下部（長たれ部３１）を半分のところで折り、折り山をたれ上部（短たれ部３０）の輪に通して結ぶ。
次に図８に示すように、結んだａの部分を少し広げ、貝の口結びに若々しくボリューム感をもたせる。ポイントでハットピンやブローチなどをつければ、結び目を固定する役割にもなる。
【００２８】
次に、図９に示すように帯を巻く。帯本体１には、帯本体１を着物に巻く際に帯のずれを防ぎつつ巻くためのループ部材５を設けて、これに帯本体１を通してから固定することもでき、ての右手についているゴムなどのループ部材５に左て先を通す。
次いで図１０に示すように、内側の帯留め部２（面ファスナー）で固定し、貝の口結びが背中心にくるように調節する。
図１１に示すように、結び紐４を前中心で結んで、帯本体１の内側にしまい込む。
以上で図１２に示すように貝の口結びが完成し、好みで帯締めやビーズベルトなどを使ったアレンジも楽しめる。
【００２９】
【発明の効果】
以上詳細に説明したように、本発明によれば、この考案は以上説明したように構成されているので、以下に記載する効果を奏する。すなわち、帯板の表面の摩擦係数が小さいため、前で結んだ帯を帯板とともに極めて容易に背中に回すことができる。また、帯紐受けを使用した場合には、帯紐を利用して帯の位置を変えると帯紐受けの位置が変り、かつ、帯紐受けは背中に強く押し付けられているため、位置ずれが生じず、結び目を最適位置に保持することができる。
【図面の簡単な説明】
【図１】本発明の貝の口結び帯の第一の実施形態の基本的な構成および着用手順を示す図である。
【図２】本発明の貝の口結び帯の第一の実施形態の基本的な構成および着用手順を示す図である。
【図３】本発明の貝の口結び帯の第一の実施形態の基本的な構成および着用手順を示す図である。
【図４】本発明の貝の口結び帯の第一の実施形態の基本的な構成および着用手順を示す図である。
【図５】本発明の貝の口結び帯の第二の実施形態の基本的な構成および着用手順を示す図である。
【図６】本発明の貝の口結び帯の第二の実施形態の基本的な構成および着用手順を示す図である。
【図７】本発明の貝の口結び帯の第二の実施形態の基本的な構成および着用手順を示す図である。
【図８】本発明の貝の口結び帯の第二の実施形態の基本的な構成および着用手順を示す図である。
【図９】本発明の貝の口結び帯の第二の実施形態の基本的な構成および着用手順を示す図である。
【図１０】本発明の貝の口結び帯の第二の実施形態の基本的な構成および着用手順を示す図である。
【図１１】本発明の貝の口結び帯の第二の実施形態の基本的な構成および着用手順を示す図である。
【図１２】本発明の貝の口結び帯の第二の実施形態の基本的な構成および着用手順を示す図である。
【図１】
2005023491.tif 000003
【図２】
2005023491.tif 000004
【図３】
2005023491.tif 000005
【図４】
2005023491.tif 000006
【図５】
2005023491.tif 000007
【図６】
2005023491.tif 000008
【図７】
2005023491.tif 000009
【図８】
2005023491.tif 000010
【図９】
2005023491.tif 000011
【図１０】
2005023491.tif 000012
【図１１】
2005023491.tif 000013
【図１２】
2005023491.tif 000014